(57)【要約】【課題】ＣＩＳを用いた画像読み取り装置で、輸送時の振動、衝撃から、ＣＩＳを保護する。【解決手段】画像読み取り装置の輸送時に、ＣＩＳを原稿台ガラスから離間させた状態で副走査方向に固定する。【選択図】      図１
2004274137.tif 000002
【特許請求の範囲】
【請求項１】
コンタクトイメージセンサを用いて画像読み取りを行う画像読み取り装置であり、枠体と、この枠体に支持される透明部材と、前記コンタクトイメージセンサを保持する走行体と、画像読み取りを行う際に前記透明部材と当接することで前記透明部材と前記コンタクトイメージセンサとの間隔を一定に保つ当接部材と、前記当接部材を介して前記コンタクトイメージセンサを前記透明部材に押圧する押圧部材と、前記走行体を副走査方向に駆動する駆動手段と、前記当接部材を前記透明部材から離間させた状態で前記コンタクトイメージセンサを移動不可能に固定する固定手段とを備えたことを特徴とする画像読み取り装置。
【請求項２】
前記固定手段は前記当接部材を前記透明部材から離間させるガイド部材と前記走行体を副走査方向に移動不可能に固定する固定部材であり、前記コンタクトイメージセンサは前記ガイド部材に当接する被ガイド部材を備えることを特徴とする請求項１記載の画像読み取り装置。
【請求項３】
前記走行体固定手段はビス部材であり、走行体は前記ビス部材に係合するビス穴を備えることを特徴とする請求項２記載の画像読み取り装置。
【請求項４】
前記固定手段は前記コンタクトイメージセンサを固定するための係合部を備え、前記コンタクトイメージセンサは前記固定手段の係合部と係合する被係合部を備え、前記固定手段は前記枠体の複数の位置に取り付け可能であり、前記固定手段の取り付け位置により前記コンタクトイメージセンサの固定、解放を切り替え可能であることを特徴とする請求項１記載の画像読み取り装置。
【発明の詳細な説明】
【０００１】
【発明の属する技術分野】
本発明は、原稿固定型の画像読み取り装置に関し、特に画像読み取り手段として、コンタクトイメージセンサを用いたものに関する。
【０００２】
【従来の技術】
従来の画像読み取り装置において、コンタクトイメージセンサ（以下ＣＩＳ）を副走査方向にスキャンし、原稿台ガラス上の画像読み取りを行うタイプのものがある。このようなＣＩＳを用いた画像読み取り装置はＣＣＤイメージセンサと折り返しミラーを用いた画像読み取り装置に対して、駆動系が大幅に簡略化されて調整がほとんど必要なくなり、また画像においては縮小光学系による歪みが発生しない等、多くの利点を有している。
【０００３】
しかしＣＩＳは、原稿面からの反射光をセルフォックレンズアレイ（以下ＳＬＡ）により受光素子上に結像させる構成のため、焦点深度が浅く、ＣＩＳの支持構造に精度が出ていないとピンボケを生じやすいという問題がある。
【０００４】
この問題に対し、特開平０７−１９３６８９、ＵＳＰ５８０１８５１等において、ＣＩＳの上面両端部に設けた摺動部材を原稿台ガラス下面に当接させ、ＣＩＳと原稿面の距離を一定に保持した状態で画像を読み取ることで、ピンボケを防止する方法が提案されている。このような構成の場合、安定した画像読み取りを行うためには、原稿台ガラスに当接する摺動部材が、滑らかに摺動する必要がある。
【０００５】
【発明が解決しようとする課題】
しかし、摺動部材が原稿台ガラスに当接した状態で強い振動、衝撃等が加わると、摺動部材の変形や破損を生じ、焦点位置に狂いを生じたり、安定したスキャン動作が行えなくなったりする場合がある。特に輸送時等には、大きな衝撃を受ける可能性があるため、摺動部材を保護する対策が必要となる。
【０００６】
【課題を解決するための手段】
上記問題を解決するために、本発明の画像読み取り装置は、コンタクトイメージセンサを用いて画像読み取りを行う画像読み取り装置であり、枠体と、この枠体に支持される透明部材と、前記コンタクトイメージセンサを保持する走行体と、画像読み取りを行う際に前記透明部材と当接することで前記透明部材と前記コンタクトイメージセンサとの間隔を一定に保つ当接部材と、前記当接部材を介して前記コンタクトイメージセンサを前記透明部材に押圧する押圧部材と、前記走行体を副走査方向に駆動する駆動手段と、前記当接部材を前記透明部材から離間させた状態で前記コンタクトイメージセンサを移動不可能に固定する固定手段とを備えたことを特徴とする。
【０００７】
【発明の実施の形態】
以下に図面を参照して、本発明の実施の形態を説明する。
【０００８】
（実施例１）
図１に、本実施例の画像読み取り装置１００の正面断面図を、図２に上視図を、また図３に側面断面図を示す。
【０００９】
画像読み取り手段であるＣＩＳ１１０は、箱状のキャリッジ１２１に上下方向に自由に移動可能に積載された状態で、バネ１２２により上方向に加圧され、スライダー１１４を介して、原稿台ガラス１０３下面に当接される。スライダー１１４には、公知の摺動部材、コロ等が用いられる。
【００１０】
ＣＩＳ１１０内には、セルフォックレンズ１１１が配置され、照明手段であるキセノンランプ１１２により照明された原稿からの反射光を、イメージセンサ基板１１３上に結像する。キャリッジ１２１は、ガイドシャフト１０２に沿って、タイミングベルト１０６を介して、モータ１０５により副走査方向に駆動され、原稿台ガラス１０３上の原稿の画像情報が読み取られる。
【００１１】
本実施例の画像読み取り装置１００は、ＣＩＳ１１０の副走査方向のスキャン動作範囲の下流側端部に、潜行カム１３１を備えている。また、ＣＩＳ１１０の両端部には、コロ１１５が取り付けられている。図４に、ＣＩＳ１１０が潜行カム１３１により下方に押し下げられる動作を示す。スキャン動作範囲の下流側端部において、コロ１１５が潜行カム１３１に当接することにより、ＣＩＳ１１０が下方に押し下げられ、スライダー１１４が原稿台ガラス１０３から離間する。
【００１２】
次に、輸送時のＣＩＳ１１０の固定方法について説明する。
【００１３】
輸送時には、ＣＩＳ１１０は図１に示した固定位置へと移動される。このとき、潜行カム１３１とコロ１１５が当接し、ＣＩＳ１１０は下方に押し下げられ、スライダー１１４は原稿台ガラス１０３から離間した状態となる。
【００１４】
一方このとき、キャリッジ１２１の右側面に設けられたキャリッジ固定用ビス穴１２４は、枠体１０１に設けられたキャリッジ固定用穴１０７に対向する位置にある。ここで、枠体１０１の外側からキャリッジ固定ビス１３２によりキャリッジ１２１を締結することにより、キャリッジ１２１の副走査方向の動きは規制される。
【００１５】
かくして、ＣＩＳ１１０は、スライダー１１４が原稿台ガラス１０３から離間した状態で固定される。このため、輸送時に大きな衝撃が加わった場合でも、スライダー１１４の変形、破損が防止され、安定したスキャン動作が保証される。
【００１６】
本発明の画像読み取り装置１００においては、最大サイズの原稿読み込み時のスキャン動作完了時には、ＣＩＳ１１０が原稿後端を通過し、完全に画像を読み取り終えてからコロ１１５が潜行カム１３２に当接し、下方に押し下げられ始める。このとき画像読み取りはすでに終了しているため、ＣＩＳ１１０と潜行カム１３２の当接により発生する振動は、画像読み取りに何ら影響を与えることはない。さらに、ＣＩＳ１１０の潜行にともないバネ１２２を圧縮する力は、モータ１０５の駆動負荷を増大させるが、ＣＩＳ１１０と潜行カム１３２の当接時には、モータ１０５は減速動作に入っているため、駆動負荷の増加はブレーキとして作用し、モータ１０５の脱調等の不具合を生じることも無い。
【００１７】
（実施例２）
図５に、本実施例の画像読み取り装置１００の正面断面図を示す。
【００１８】
本実施例の画像読み取り装置１００は、ＣＩＳ１１０の副走査方向のスキャン動作範囲の下流側端部に、ＣＩＳ固定部材１３３を備えている。また、ＣＩＳ１１０の両端部には、ＣＩＳ固定部材１３３の凹形状と係合する、固定用突起１１６が備えられている。
【００１９】
図６、および図７に示したように、ＣＩＳ固定部材１３３は、枠体１０１に対して、通常位置とＣＩＳ固定位置の、２箇所に取り付け可能である。通常の画像読み取り動作時には、ＣＩＳ固定部材１３３は通常位置に取り付けられている。
【００２０】
次に、輸送時のＣＩＳ１１０の固定方法について説明する。
【００２１】
輸送時には、ＣＩＳ１１０は図５に示した固定位置へと移動される。ここで、ＣＩＳ固定部材１３３の取り付け位置を、通常位置からＣＩＳ固定位置に変えることにより、ＣＩＳ１００は下方に押し下げられ、スライダー１１４は原稿台ガラス１０３から離間した状態となる。また、ＣＩＳ固定部材１３３の凹形状と、ＣＩＳ１１０の固定用突起１１６が係合することにより、ＣＩＳ１１０は副走査方向にも固定される。
【００２２】
かくして、ＣＩＳ１１０は、スライダー１１４が原稿台ガラス１０３から離間した状態で固定される。このため、輸送時に大きな衝撃が加わった場合でも、スライダー１１４の変形、破損が防止され、安定したスキャン動作が保証される。
【００２３】
本実施例の画像読み取り装置１００においては、ＣＩＳ固定部材１３３が通常位置に取り付けられている場合には、ＣＩＳ１１０の固定用突起１１６と接触しない位置に退避しているため、画像読み取り時のＣＩＳ１１０のスキャン動作に何ら影響を与えることはない。また輸送時には、ＣＩＳ固定部材１３３の取り付け位置を移動させるだけで、ＣＩＳ１１０を固定できる。すなわち、ＣＩＳ１１０を固定するために新たな部材を追加する必要が無いため、画像読み取り装置１００の設置後に再び輸送するような場合でも、固定用部材を紛失する危険性が無くなり、常にＣＩＳ１００を保護した安全な状態で輸送を行うことができる。
【００２４】
【発明の効果】
以上説明したように、本発明によれば、画像読み取り装置の輸送中に大きな振動、衝撃が加わった場合でも、原稿台ガラスに当接する摺動部材の変形、破損が防止され、安定したスキャン動作を保証することができる。
【図面の簡単な説明】
【図１】本発明の実施例１記載の画像読み取り装置の、正面断面図である。
【図２】本発明の実施例１記載の画像読み取り装置の、上視図である。
【図３】本発明の実施例１記載の画像読み取り装置の、側面図である。
【図４】本発明の実施例１記載の画像読み取り装置の、ＣＩＳの潜行動作を示す図である。
【図５】本発明の実施例２記載の画像読み取り装置の、正面断面図である。
【図６】本発明の実施例２記載の画像読み取り装置の、ＣＩＳの固定方法を示す図である。
【図７】本発明の実施例２記載の画像読み取り装置の、ＣＩＳの固定方法を示す図である。
【符号の説明】
１００  画像読み取り装置
１０１  枠体
１０２  ガイドシャフト
１０３  原稿台ガラス
１０４  原稿サイズ指標板
１０５  モータ
１０６  タイミングベルト
１０７  キャリッジ固定用穴
１１０  コンタクト・イメージ・センサ（ＣＩＳ）
１１１  セルフォック・レンズ・アレイ（ＳＬＡ）
１１２  キセノンランプ
１１３  イメージセンサ基板
１１４  スライダー
１１５  コロ
１１６  固定用突起
１２１  キャリッジ
１２２  バネ
１２３  軸受け
１２４  キャリッジ固定用ビス穴
１３１  潜行カム
１３２  キャリッジ固定ビス
１３３  ＣＩＳ固定部材
【図１】
2004274137.tif 000003
【図２】
2004274137.tif 000004
【図３】
2004274137.tif 000005
【図４】
2004274137.tif 000006
【図５】
2004274137.tif 000007
【図６】
2004274137.tif 000008
【図７】
2004274137.tif 000009